(57)【要約】  直接的なネットワークアクセスを有していない第１の通信装置(20)が、リモートネットワーク(40)に接続されている第２の通信装置(30)へ、１つ又はそれより多い移動通信装置(50)を通じてメッセージを中継することによりメッセージを送信する。一実施形態において、移動体通信装置(50)は、ネットワークから隔離された通信装置(20)と一時的な無線通信コネクションを確立し、一時的な無線通信コネクションを介して転送されたデータを受信するように構成された無線通信回路(74)を有する。さらに無線通信回路(74)は、一時的な無線通信コネクションを切断し、通信装置(50, 42)と次の通信コネクションを確立し、次の通信コネクションを介してデータを通信装置(50, 42)へ転送するように構成される。一部の実施形態によれば、装置(50)のユーザは、装置(50)をデータ転送可能にすることに対する報償を受ける。
2009538572.tif 000002
【特許請求の範囲】
【請求項１】
ネットワークから隔離された装置(20)から発せられたデータを、移動体通信装置(50)において中継するための方法であって、
前記ネットワークから隔離された装置(20)と一時的な無線通信コネクションを確立するステップと、
前記一時的な無線通信コネクションを介して前記ネットワークから隔離された装置(20)から受信したデータを格納するステップと、
前記一時的な無線通信コネクションを切断するステップと、
通信装置(50, 42)と次の通信コネクションを確立するステップと、
前記次の通信コネクションを介して前記データを前記通信装置(50, 42)へ転送するステップとを有することを特徴とする方法。
【請求項２】
データ転送消滅パラメータ(94)に応じて前記格納したデータを削除するステップをさらに有することを特徴とする請求項１記載の方法。
【請求項３】
前記データ転送消滅パラメータ(94)が、前記次の通信コネクションを確立する前の経過時間に対応することを特徴とする請求項２記載の方法。
【請求項４】
前記データ転送消滅パラメータ(94)が、既に前記データを転送した移動体通信装置(50)の数に対応することを特徴とする請求項２記載の方法。
【請求項５】
前記データ転送消滅パラメータ(94)が、受信データ転送取消メッセージに対応することを特徴とする請求項２記載の方法。
【請求項６】
前記データ転送消滅パラメータ(94)が、前記データの分散を示す減衰統計量に対応することを特徴とする請求項２記載の方法。
【請求項７】
前記データ転送消滅パラメータ(94)が、タイムスタンプに対応することを特徴とする請求項２記載の方法。
【請求項８】
前記移動体通信装置(50)に一意に関連付けられた識別子(96)を前記通信装置(50, 42)へ転送するステップをさらに有することを特徴とする請求項１記載の方法。
【請求項９】
前記通信装置(50, 42)と次の通信コネクションを確立するステップが、データ転送分配パラメータに対応する複数の移動体通信装置(50)と次の通信コネクションを確立するステップを有することを特徴とする請求項１記載の方法。
【請求項１０】
前記通信装置(50, 42)が、他の移動体通信装置(50)及びネットワークアクセスポイント(42)の１つを有することを特徴とする請求項１記載の方法。
【請求項１１】
移動体通信装置(50)であって、
ネットワークから隔離された装置(20)と一時的な無線通信コネクションを確立し、前記一時的な無線通信コネクションを介して転送されたデータを受信し、前記一時的な無線通信コネクションを切断し、通信装置(50, 42)と次の通信コネクションを確立し、前記次の通信コネクションを介して前記データを前記通信装置(50, 42)へ転送するように構成された無線通信回路(74)を有することを特徴とする移動体通信装置(50)。
【請求項１２】
データ転送消滅パラメータ(94)に応じた前記データの削除を命令するように構成された制御回路(72)をさらに有することを特徴とする請求項１１記載の移動体通信装置(50)。
【請求項１３】
前記データ転送消滅パラメータ(94)が、前記次の通信コネクションを確立する前の経過時間に対応することを特徴とする請求項１２記載の移動体通信装置(50)。
【請求項１４】
前記データ転送消滅パラメータ(94)が、既に前記データを転送した移動体通信装置(50)の数に対応することを特徴とする請求項１２記載の移動体通信装置(50)。
【請求項１５】
前記データ転送消滅パラメータ(94)が、受信データ転送取消メッセージに対応することを特徴とする請求項１２記載の移動体通信装置(50)。
【請求項１６】
前記データ転送消滅パラメータ(94)が、前記データの分散を示す減衰統計量に対応することを特徴とする請求項１２記載の移動体通信装置(50)。
【請求項１７】
前記データ転送消滅パラメータ(94)が、タイムスタンプに対応することを特徴とする請求項１２記載の移動体通信装置(50)。
【請求項１８】
前記無線通信回路(74)がさらに、前記移動体通信装置(50)に一意に関連付けられた識別子(96)を前記通信装置(50, 42)へ転送するように構成されることを特徴とする請求項１１記載の移動体通信装置(50)。
【請求項１９】
前記無線通信回路(74)が、データ転送分配パラメータ(92)に対応する複数の移動体通信装置(50)と次の通信コネクションを確立することによって通信装置(50, 42)と次の通信コネクションを確立するように構成されることを特徴とする請求項１１記載の移動体通信装置(50)。
【請求項２０】
前記通信装置(50, 42)が、他の移動体通信装置(50)及びネットワークアクセスポイント(42)の１つを有することを特徴とする請求項１１記載の移動体通信装置(50)。
【請求項２１】
ネットワークから隔離された装置(20)によってデータを転送する方法であって、
遠隔装置(30)に報告するためのデータを生成するステップと、
データ転送分配パラメータ(92)に対応する複数の移動体通信装置(50)と一時的な無線通信コネクションを確立するステップと、
前記一時的な無線通信コネクションを介して前記データを前記複数の移動体通信装置(50)に転送するステップとを有することを特徴とする方法。
【請求項２２】
前記一時的な無線通信コネクションを介して前記データを前記複数の移動体通信装置(50)に転送するステップが、前記データ(84)及び、前記ネットワークから隔離された装置(20)に関連付けられた固有識別子(90)を含んだ１つ又はそれより多いパケット(80)を形成するステップと、
前記一時的な無線通信コネクションを介して各パケット(80)を転送するステップとを有することを特徴とする請求項２１記載の方法。
【請求項２３】
前記１つ又はそれより多いパケット(80)が、データ転送消滅パラメータ(94)をさらに含むことを特徴とする請求項２２記載の方法。
【請求項２４】
前記ネットワークから隔離された装置(20)が前記データを転送した移動体通信装置(50)の各々から受信した固有装置識別子(96)を格納するステップをさらに有することを特徴とする請求項２１記載の方法。
【請求項２５】
前記固有装置識別子(96)の１つ以上を用いて、前記複数の移動体通信装置(50)の１つ又はそれより多くへ打ち切りメッセージを宛てるステップをさらに有することを特徴とする請求項２４記載の方法。
【請求項２６】
前記複数の移動体通信装置(50)の１つ又はそれより多くから、異なるデータを受信するステップをさらに有することを特徴とする請求項２１記載の方法。
【請求項２７】
前記データ転送分配パラメータ(92)が、データ転送の頻度及び複数の移動体通信装置(50)の数の少なくとも１つに対応することを特徴とする請求項２１記載の方法。
【請求項２８】
データ転送分配パラメータ(92)に対応する複数の移動体通信装置(50)と一時的な無線通信コネクションを確立するステップ及び前記一時的な無線通信コネクションを介して前記データを前記複数の移動体通信装置(50)に転送するステップが、前記一時的な無線通信コネクションを周期的に確立するステップ及び周期的に前記データを転送するステップとを有することを特徴とする請求項２１記載の方法。
【請求項２９】
ネットワークから隔離された装置(20)であって、データ転送分配パラメータ(92)に対応する複数の移動体通信装置(50)と一時的な無線通信コネクションを確立し、前記一時的な無線通信コネクションを介して前記ネットワークから隔離された装置(20)によって生成されたデータを前記複数の移動体通信装置(50)に転送するように構成された通信コントローラ(64)を有することを特徴とする、ネットワークから隔離された装置(20)。
【請求項３０】
前記通信コントローラ(64)が、前記データ(84)及び、前記ネットワークから隔離された装置(20)に関連付けられた固有識別子(90)を含んだ１つ又はそれより多いパケット(80)を形成し、前記一時的な無線通信コネクションを介して各パケット(80)を転送することにより、前記一時的な無線通信コネクションを介して前記ネットワークから隔離された装置(20)によって生成されたデータを前記複数の移動体通信装置(50)に転送するように構成されることを特徴とする請求項２９記載のネットワークから隔離された装置(20)。
【請求項３１】
前記１つ又はそれより多いパケット(80)が、データ転送消滅パラメータ(94)をさらに含むことを特徴とする請求項２９記載のネットワークから隔離された装置(20)。
【請求項３２】
前記通信コントローラ(64)がさらに、前記ネットワークから隔離された装置(20)が前記データを転送した移動体通信装置(50)の各々から受信した固有装置識別子(96)の格納を命令するように構成されることを特徴とする請求項２９記載のネットワークから隔離された装置(20)。
【請求項３３】
前記通信コントローラ(64)がさらに、前記固有装置識別子(96)の１つ以上を用いて、前記複数の移動体通信装置(50)の１つ又はそれより多くへ打ち切りメッセージを宛てるように構成されることを特徴とする請求項３２記載のネットワークから隔離された装置(20)。
【請求項３４】
前記通信コントローラ(64)がさらに、前記複数の移動体通信装置(50)の１つ又はそれより多くから、異なるデータを受信するように構成されることを特徴とする請求項２９記載のネットワークから隔離された装置(20)。
【請求項３５】
前記データ転送分配パラメータ(92)が、データ転送の頻度及び複数の移動体通信装置(50)の数の少なくとも１つに対応することを特徴とする請求項２９記載のネットワークから隔離された装置(20)。
【請求項３６】
前記通信コントローラ(64)が、前記一時的な無線通信コネクションを周期的に確立するとともに、前記データを周期的に転送するように構成されることを特徴とする請求項２９記載のネットワークから隔離された装置(20)。
【請求項３７】
ネットワークから隔離された装置(20)から発せられたデータを自身の移動体通信装置(50)によって転送することを可能するよう、前記複数の移動体通信装置(50)の複数のユーザに報償を与える方法であって、
ネットワークから隔離された装置(20)から発せられたデータを前記複数の移動体通信装置(50)によって転送することを可能にするよう、前記複数の移動体通信装置(50)の前記複数のユーザに、報償を提供するステップと、
前記データを転送する前記複数の移動体通信装置(50)を特定するステップと、
前記データを転送したものとして特定された前記複数の移動体通信装置(50)の１つ又はそれより多くに報償を与えるステップとを有することを特徴とする方法。
【請求項３８】
前記データを転送した前記複数の移動体通信装置(50)の１つ又はそれより多くに報償を与えるステップが、宛先装置(30)によって受信されたデータを転送した移動体通信装置(50)の各々に報償を与えるステップを有することを特徴とする請求項３７記載の方法。
【請求項３９】
前記データを転送する前記複数の移動体通信装置(50)を特定するステップが、個々の移動体通信装置(50)の各々に一意に関連付けられた装置識別子(96)の１つ又はそれより多くを、前記宛先装置(30)によって受信されたデータから見出すステップを有することを特徴とする請求項３７記載の方法。
【請求項４０】
前記データを転送する前記複数の移動体通信装置(50)を特定するステップが、前記ネットワークから隔離された装置(20)から発せられるメッセージ(20)の各々に一意に関連付けられたメッセージ識別子(86)の１つ又はそれより多くを、前記宛先装置(30)によって受信されたデータから見出すステップを有することを特徴とする請求項３９記載の方法。
【請求項４１】
前記複数の移動体通信装置(50)によって、異なるデータをネットワークから隔離された装置(20)へ転送することを可能にするよう、前記複数の移動体通信装置(50)の前記複数のユーザに報償を与えるステップをさらに有することを特徴とする請求項３７記載の方法。
【請求項４２】
前記異なるデータを転送する前記複数の移動体通信装置(50)の１つ又はそれより多くに対し、報償を与えるステップをさらに有することを特徴とする請求項４１記載の方法。
【請求項４３】
前記異なるデータを転送する前記複数の移動体通信装置(50)の１つ又はそれより多くに報償を与えるステップが、
前記データを転送した前記複数の移動体通信装置(50)を特定するステップと、
前記特定された複数の移動体通信装置(50)の１つ又はそれより多くに報償を与えるステップとを有することを特徴とする請求項４２記載の方法。
【請求項４４】
前記データを転送した前記複数の移動体通信装置(50)を特定するステップが、個々の移動体通信装置(50)の各々に一意に関連付けられた装置識別子(96)の１つ又はそれより多くを、前記ネットワークから隔離された装置(20)によって受信されたデータから見出すステップを有することを特徴とする請求項４３記載の方法。
【発明の詳細な説明】
【技術分野】
【０００１】
本発明はネットワークと隔離された装置から、通信ネットワークに接続された遠隔装置へデータを通信するためのシステム及び方法に関する。
【背景技術】
【０００２】
様々な無線通信技術の幅広い展開は遠隔装置のネットワークアクセス性を格段に向上させており、それにより通信可能範囲及び情報アクセスが改善されている。例えば、様々な短距離及び長距離無線通信技術により、遠隔装置が情報を通信したり共有したりすることが可能になっている。無線ネットワークの通信可能範囲は給送句に拡大しているが、一部装置の場所は、それら装置が、例えばネットワークアクセスポイントを通じたネットワークへのアクセスを獲得することを依然として妨げている。そのような、ネットワークから隔離された装置、すなわち、通信ネットワークへの直接アクセスを妨げるような場所にある装置がネットワークへの直接的な接続性を欠く理由は、例えば見通しが悪かったり、ネットワークの通信可能範囲外であったり、遮蔽であったり、信号強度不足であったり、距離が遠すぎたり、受信感度が低かったり、マルチパスやヌルポイントであったりなど、様々でありうる。
【０００３】
装置が例えば様々なコンピュータ及び電子部品を有することにより、ますます”インテリジェント”になるにつれ、ネットワークから隔離された装置へのアクセス、それら装置の監視およびそれら装置との通信に対する要求が高まっている。例えば、ネットワークから隔離された領域に位置するインテリジェントな装置の、設計者及び／又はオペレータは、装置の正常動作、ソフトウェアコードの更新、それら装置が生成したデータへのアクセス、およびそれら装置へのデータ転送を欲するであろう。装置設計者及び／又はオペレータが特に関心をもつのは、ネットワークから隔離された装置が生成したテレメトリーデータ、例えば装置の動作状況や消費者行動に関する情報であるかもしれない。
【０００４】
一部のネットワークトポロジ、例えばメッシュ状ネットワークは、データ、音声および命令といった情報をネットワークノード間でルーティングすることによって無線ネットワークの通信可能範囲を拡大してきた。メッシュネットワーキングは継続的なコネクションを維持するので、コネクションが確立できるまでノードを一つずつ”ホッピング”することにより、障害のある経路の周辺を再構成する。そのため、メッシュネットワークはあるノードが故障したり、コネクションが切断されても使用可能な状態を維持することができる。メッシュ又は類似のネットワークトポロジは、信号ルーティング経路を確立するのに、既存ノードの知見を用いる。すなわち、あるノードがメッシュの一部として構成されるためには、そのノードがメッシュネットワークに知られている必要がある。さらに、データが受信され、そのノードがメッシュに接続され続けている間、メッシュネットワーク内のノード間でデータが動的にルーティングされる。加えて、未知のノード、切断されたノードまたはメッシュネットワークの信号到達範囲外のノードのような隔離された装置は、対応するメッシュネットワークから隔離される。そのため、ネットワークから隔離された装置は、メッシュ及び類似のネットワークトポロジから通信に関して隔離される。
【発明の開示】
【０００５】
ここで説明する方法及び装置は、直接ネットワークアクセスを有していない第１の通信装置が、リモートネットワークに接続されている第２の通信装置へメッセージを送信することを、１つ又はそれより多い移動体通信装置を通じてメッセージを中継することにより可能にする。方法及び装置は、移動体通信装置のアドホックネットワーク生成能力を利用して、メッセージをネットワークから隔離された通信装置からネットワークアクセスポイントへ、１つ又はそれより多い移動体通信装置を通じて伝播する。
【０００６】
一実施形態において、ネットワークから隔離された通信装置は、１つ又はそれより多い移動体通信装置が自身の通信可能範囲に入ると、移動体通信装置へメッセージを送信する。そのメッセージを受信する移動体通信装置は、メッセージを他の移動体通信装置へ中継することができる。メッセージを受信する複数の移動体通信装置の１つは、ネットワークアクセスポイントの通信可能範囲に入ると、ネットワークアクセスポイントと通信を確立し、メッセージをネットワークアクセスポイントへ転送する。このようにして、ネットワークアクセスポイントに到達するまで、メッセージはある移動体通信装置から別の移動体通信装置へと中継されることができる。
【０００７】
ネットワーク過負荷を防ぐため、中継されるメッセージは、所定数の”ホップ”又は所定時間が経過した後にメッセージが破棄されるようにするための消滅パラメータを含んでよい。例えば、消滅パラメータは、移動体通信装置がメッセージを他の移動体通信装置またはネットワークアクセスポイントへ中継する前の経過時間に対応してもよい。別の例において、消滅パラメータは既にデータを転送した移動体通信装置の数に対応してもよい。さらに別の例において、消滅パラメータは移動体通信装置によって受信される、データ中継取消メッセージに対応してもよい。さらに別の例において、消滅パラメータはデータの分散(dispersion)を示す減衰統計量に対応してもよい。
【０００８】
自分の装置をデータ転送に用いることをユーザが許可することを促すため、移動体通信装置のユーザに報償を与えてもよい。例えば、自身の移動体通信装置をデータ転送に使用することを許可したユーザに報奨金を与える会計サーバを用いることができる。一実施形態において、移動体通信装置のユーザは、自身の装置を移動データ中継可能とするための報償の提供を受ける。データ転送を受ける装置は特定される。データを転送したと特定される１つ又はそれより多い装置、例えば、成功したデータ中継経路の一部を形成した装置には、報奨金が与えられる。
【０００９】
本発明が上述した特徴や利点に限定されないことはいうまでもない。本技術分野に属する当業者は、添付図面の参照および以下の説明の読解により、さらなる特徴及び利点を理解するであろう。
【発明を実施するための最良の形態】
【００１０】
図１は、ネットワークから隔離された装置２０から、通信ネットワーク４０に接続されている宛先装置３０へデータを通信するための例示的な通信システム１０を示している。通信ネットワーク４０は、例えば携帯電話機、ラップトップコンピュータ、携帯情報端末、ポータブルコンピュータなどの移動体通信装置５０が通信ネットワークにアクセスすることを可能にする無線ネットワークアクセスポイント４２を含んでいる。ネットワークから隔離された通信装置２０は、通信ネットワーク４０から離れて位置しており、そのためネットワークアクセスポイント４２と直接通信することができない。以下に詳細に説明するように、移動体通信装置５０は類似装置とともにアドホックネットワークを形成することが可能であり、ネットワークから隔離された通信装置２０からネットワークアクセスポイント４２へメッセージを中継するために、ネットワークから隔離された通信装置２０によって用いられてよい。ネットワークから隔離された通信装置２０からネットワークアクセスポイント４２へ到達するメッセージは、従前のルーティング機構を介して宛先装置３０へルーティングされる。ネットワーク４０に接続される会計サーバ４４は、移動体通信装置５０がメッセージを中継したことに対する報償を受け取ることができるよう、会計機能を実行する。
【００１１】
宛先装置３０へデータを送信するため、ネットワークから隔離された通信装置２０は宛先装置３０に宛てたデータを、自身の通信可能範囲内に入った１つ又はそれより多い移動体通信装置５０に転送する。そのメッセージを受信する移動体通信装置５０は、メッセージを他の移動体通信装置５０へ中継することができる。メッセージを受信する複数の移動体通信装置５０の１つは、ネットワークアクセスポイント４２の通信可能範囲に入ると、ネットワークアクセスポイント４２と通信を確立し、メッセージをネットワークアクセスポイント４２へ転送する。このようにして、ネットワークアクセスポイント４２に到達するまで、メッセージはある移動体通信装置５０から別の移動体通信装置５０へと中継されることができる。
【００１２】
図２は、ネットワークから隔離された装置２０の一実施形態を示す図である。ネットワークから隔離された装置２０はデータ生成器、メモリ６２および通信コントローラ６４に接続され、あるいはそれらを有する。メモリ６２はデータ生成器６０が生成したデータおよび、例えばプログラムコードのような他の情報を格納する。データ生成器６０は、例えばテレメトリーデータのような、宛先装置３０に報告されてよい任意の形式の情報を生成する。データ生成器６０は、インタラクティブディスプレイ、入力／出力(I/O)デバイス、センサ、ソフトウェアなど、報告可能なデータを生成するための任意かつ好適な構成要素を備えることができる。通信コントローラ６４は、ネットワークから隔離された装置２０の通信可能範囲に入った移動体通信装置５０と無線通信コネクションを確立する。例示的な実施形態における通信コントローラ６４は、無線通信回路６６及びスケジューラ６８を備えている。無線通信回路６６は、通信可能範囲内の１つ又はそれより多い移動体通信装置５０と一時的な無線通信コネクションを確立し、スケジューラ６８は無線通信コネクションを確立する頻度及び数を決定する。
【００１３】
より詳細には、無線通信回路６６は例えば無線送信器及び受信器、または無線送受信器のような、無線信号を送信及び受信する好適かつ任意の回路を備える。具体的な回路構成とは無関係に、無線通信回路６６は通信可能範囲内の１つ又はそれより多い移動体通信装置５０と一時的な無線通信コネクションを確立する。純粋な例示としてのブルートゥースプロトコルを用い、通信回路６６は、ネットワークから隔離された装置２０と、通信可能範囲内の１つ又はそれより多いブルートゥース機能を有する移動体通信装置５０との間に存在する無線チャネル上で、無線通信リンクを形成する。制御及びシグナリング論理リンクを備える各リンクは、ネットワークから隔離された装置２０と移動体通信装置５０との間でデータを搬送する。高レベルアプリケーション及び、アプリケーションデータの再組み立てのようなサービスプロトコル機能は、通信コントローラ６４または、ネットワークから隔離された装置２０に含まれる他の構成要素（図示せず）によって実現されてもよい。本技術分野に属する当業者は、ネットワークから隔離された装置２０が、通信可能範囲内の移動体通信装置５０と通信するために他の無線通信プロトコルを実装してもよいことを容易に理解するであろう。これら他の無線通信プロトコルには、例えばUWB (Ultra-WideBand)，IEEE (Institute of Electrical and Electronics Engineers) 802.11 ワイヤレス・フィディリティー (WiFi)，WiMax (IEEE 802.16 Worldwide Interoperability for Microwave Access)，ワイヤレスブロードバンド (WiBro)， 赤外線(IrDA)， RFID (Radio Frequency Identification), NFC (近接通信), HiperLAN, HiperMAN, IEEE 802.20, IEEE 802.15.4 (ZigBee)などがあり、それぞれ本技術分野において周知である。
【００１４】
スケジューラ６８は、予め定められた基準に従って、データを転送するための適切な時期を決定する。例えば、スケジューラ６８は、例えば週１回のように予め定められた間隔、または所定のイベントが発生した時を送信時期としてスケジュールすることができる スケジューラ６８はまた、各データ転送について、データを受信すべき移動体通信装置５０の数を決定してもよい。例えば、予め定められた送信成功率を確保するためには、同じデータを複数の移動体通信装置５０に転送することが好ましいであろう。スケジューラ６８によるスケジュール決定は、データがどのような頻度で送信されるべきか、及び、いくつの移動体通信装置を使うべきかを指定する、１つ又はそれより多い分配パラメータに基づくことができる。分配パラメータはメモリ６２に格納することができ、状況の変化に応じて動的に更新されてよい。
【００１５】
図３は、ネットワークから隔離された装置２０から発せられたメッセージを中継するための、例示的な移動体通信装置５０を示している。移動体通信装置５０は、ネットワークから隔離された装置２０から発せられたデータが受信されたものを格納するためのメモリ７０と、移動体通信装置５０の動作を制御するための制御部７２と、外部装置との通信を可能にするための無線通信回路７４とを含んでいる。例示的な実施形態における無線通信装置７４は、外部装置と通信するための第１及び第２の通信インタフェース７６及び７８を備えている。通信インタフェース７６は、例えばブルートゥースインタフェースを備えてよく、また通信インタフェース７８はWiFiインタフェース又はセルラインタフェースを備えてよい。本技術分野に属する当業者は、通信インタフェースが他の通信規格を用いても良いことを理解するであろう。ここに示した例示的な実施形態においては、ネットワークから隔離された装置２０と他の移動体通信装置５０との間での通信に、ブルートゥースインタフェース７６が用いられている。WiFiインタフェース７８はネットワークアクセスポイント４２との通信に用いられる。
【００１６】
ネットワークから隔離された装置２０によって送信されるメッセージは、図４に示す例示的なパケット８０で示されるようなデータパケットにカプセル化されることができる。パケット８０はヘッダ部８２及びペイロード部８４を有する。ペイロード８４は、ネットワークから隔離された装置２０から発せられた、興味あるデータを格納する。ヘッダ８２は、ネットワークから隔離された装置２０によって転送される個々のメッセージを一意に識別するメッセージIDフィールド８６と、宛先装置３０を一意に識別する宛先IDフィールド８８と、そのメッセージを送信している、ネットワークから隔離された装置２０を一意に識別する送信元IDフィールド９０と、１つ又はそれより多い分配パラメータを格納する分配パラメータフィールド９２と、１つ又はそれより多い消滅パラメータを格納する消滅パラメータフィールド９４と、そのメッセージを中継した移動体通信装置についての装置識別子を格納する中継装置IDフィールド９６とを含む。分配パラメータフィールド９２内の分配パラメータは、ある特定のメッセージが移動体通信装置５０によってさらにどのように分配されるべきかを示している。例えば、１つ以上の分配パラメータは、移動体通信装置がそのメッセージを何回中継すべきか、及び、連続する中継間の時間間隔を指定することができる。
【００１７】
消滅パラメータフィールド９４内の消滅パラメータは、メッセージ中継処理がいつ打ち切られるべきかを示している。例えば、１つ以上の消滅パラメータは、”ホップ”の最大数、又は中継処理が打ち切られるべき時限を指定することができる。一実施形態において、消滅パラメータは、ある移動体通信装置がメッセージを他の移動体通信装置またはネットワークアクセスポイントへ中継する前の経過時間に対応する。別の実施形態において、消滅パラメータは既にデータを転送した移動体通信装置の数に対応する。さらに別の実施形態において、消滅パラメータは移動体通信装置によって受信される、データ中継取消メッセージに対応する。さらに別の実施形態において、消滅パラメータは半減期のような、減衰統計量に対応する。例えば、所定数の装置がメッセージを中継済みである場合や、累積メッセージ転送時間が予め定められた限界を超える場合には、半減期消滅パラメータの有効期限が切れる。つまり、半減期消滅パラメータは、連続したコネクションを形成するために利用可能な装置の数または時間を制限することにより、メッセージが指数関数的に分散する可能性を制限する。
【００１８】
図５は、ネットワークから隔離された装置２０が通信可能範囲内の１つ又はそれより多い移動体通信装置５０へメッセージを転送するために実施しうるプログラムロジックの一実施形態を示す。プログラムロジックは、ネットワークから隔離された装置２０が対象メッセージについてデータ転送処理を開始することにより「始まる」（ステップ１００）。データ転送処理が開始された後、ネットワークから隔離された装置２０は、通信可能範囲内の移動体通信装置５０を検出する（ステップ１０２）。検出されると、通信可能範囲内の装置と無線通信リンクを確立することができる（ステップ１０４）。そして、その通信リンクを解して、対象メッセージは通信可能範囲内の装置へ転送される（ステップ１０６）。通信リンクは、メッセージ転送が完了するか、移動体通信装置５０がネットワークから隔離された装置２０の通信可能範囲の外へ移動するかのいずれかが生じた際に切断される。ネットワークから隔離された装置２０に接続されるか含まれるスケジューラ６８は、対象メッセージが通信可能範囲内の他の装置に転送されるべきかどうかを決定する。メッセージが通信可能範囲内の他の装置に転送されるべきであれば、過去のメッセージ転送を反映するために増加カウンタが増加され、それにより、ネットワークから隔離された装置２０は、ある特定のメッセージを既に転送した装置の数を追跡することが可能である（ステップ１１２）。加えて、スケジューラ６８は引き続くメッセージ転送を所定時間遅延させることができ、それによって、ネットワークから隔離された装置２０は、メッセージを所定時間間隔で転送することが可能になる。対象メッセージを他の移動体通信装置に転送すべきでない場合、メッセージ中継処理は終了する（ステップ１１６）。
【００１９】
図６は、移動体通信装置５０が、ネットワークから隔離された装置２０から発せられた転送データを転送するために実施しうるプログラムロジックの一実施形態を示す。プログラムロジックは、移動体装置５０が、ネットワークから隔離された装置２０もしくは他の移動体通信装置から、メッセージ中継要求を受信することにより「開始する」（ステップ２００）。移動体装置５０は、メッセージ転送要求を受け入れるかどうか決定する（ステップ２０２）。移動体装置５０が要求を受け入れる場合、移動体通信装置５０は無線通信リンクを介してデータを受信すると共に、データを自身のメモリ７０に格納する（ステップ２０４）。移動体装置５０はメッセージ中継処理を継続すべきか打ち切るべきか判定するため、１つ又はそれより多い消滅パラメータを定期的に評価する（ステップ２０６）。消滅パラメータがメッセージ中継処理の継続を示している場合、移動体装置５０は、メッセージデータの受け入れに同意する他の通信装置、例えば他の移動体通信装置５０又はネットワークアクセスポイント４２、が通信可能範囲内に存在するかを判定する（ステップ２０８）。もし存在するなら、移動体装置５０は他の通信装置と通信リンクを確立し、その装置へデータを転送する（ステップ２１０）。１つ又はそれより多い配信パラメータ、例えばデータ転送分配フィールド９２に格納される１つ又はそれより多いパラメータに応じて、移動体装置５０はそのメッセージデータが他の通信装置に転送されるべきかどうかを判定する（ステップ２１２）。さらに別のデータ転送を行う必要があれば、移動体装置５０は過去のメッセージ転送を反映させるためにカウンタを増加させ、それにより装置５０によって完了した転送の数を追跡する（ステップ２１４）。さらに、移動体装置５０は、別のデータ分配パラメータに応じて、メッセージデータの引き続く転送を所定時間遅延させてもよく、それによってメッセージ転送頻度を制限する（ステップ２１６）。データ分配パラメータの１つが、メッセージデータを他の通信装置に転送すべきでないことを示している場合、メッセージ中継処理は終了する（ステップ２１８）。同様に、データ転送消滅パラメータがそのような内容を示す場合には、メッセージ中継処理は打ち切られる（ステップ２１８）。移動体装置５０は引き続くデータ転送を中止し、さらにデータをメモリ７０から削除することもできる。これにより、通信帯域の節約、信号処理要求の削減及びメモリ帯域の利用改善を実現する。移動体装置５０がメッセージ転送要求を拒否した場合、プログラムロジックは「終了する」（ステップ２１８）。
【００２０】
メッセージデータを他の通信装置に転送するに先立って、移動体装置５０は装置５０と一意に関連付けられた移動体通信装置識別子９６を、例えば図５に示したパケット８０のヘッダ部９２の一部としてメッセージに付加することができる。それにより、ネットワークから隔離された装置２０が発したデータを転送した移動体通信装置５０の各々を、後で特定することができる。固有な移動体装置識別子はネットワーク４０、宛先装置３０または対応するサービスによって生成されることができる。一実施形態において、移動体装置５０は自身の国際移動機装置識別子(IMEI)コードを、他の通信装置に送信されるデータの一部として含める。移動体装置５０はさらに、自身の固有移動体通信装置識別子を、ネットワークから隔離された装置２０と一時的な無線通信コネクションを介して接続された際に転送してもよい。ネットワークから隔離された装置２０は、後で、例えばデータ転送成功率を追跡したり、ネットワークから隔離された装置２０がデータ転送打ち切りメッセージを宛てる１つ又はそれより多い移動体装置５０を特定したりするために利用するため、固有装置識別子を格納してもよい。
【００２１】
図７は、ネットワークから隔離された装置２０から発せられたデータを自身の装置が転送できるようにした移動体装置のユーザに報償を与えるための一方法を示す。方法は、ネットワークから隔離された装置２０から発せられたデータを自身の装置５０が転送できるようにした、移動体通信装置５０のユーザに、報償を提供することで「始まる」（ステップ３００）。報償は、例えば、金銭的なクレジット、会計的なクレジット、リベート、より高度なサービス機能へのアクセス、格安サービスなど、移動体装置のユーザが、ネットワークから隔離された装置から発せられたデータを自身の装置が転送できるようにさせる動機付けとなる任意の好適な仕組みを含むことができる。提供される具体的なインセンティブにかかわらず、データを転送することによる移動体データ中継経路の一部を形成する移動体装置５０が特定される（ステップ３０２）。データを転送する移動体装置５０は、受信されたデータを転送した個々の移動体通信装置と一意に関連付けられた１つ又はそれより多い装置識別子、例えばIMEIコード、インターネットプロトコル(IP)アドレス、または他の固有識別子を、受信データから見出すことによって特定することができる。一実施形態において、図５に示すパケット８０のヘッダ部分９２含まれる個々の装置識別子９６は、それらの、データを転送した移動体装置５０を特定するため、会計サーバ４４によって処理される。
【００２２】
提供される報償に従って、会計サーバ４４は、データを転送したと特定された移動体装置５０に報償を与える（ステップ３０４）。一部の実施形態において、会計サーバ４４はデータを転送した全ての移動体装置５０に報償を与える。すなわち、データを転送した移動体装置は、最終的にデータ配信に成功した中継経路の一部であったかどうかとは無関係に報償を受ける。他の実施形態において、会計サーバは、データの配信に成功したデータ中継経路の一部を形成した移動体通信装置５０のみに報償を与える。つまり、データを転送したが、宛先装置によって成功裏に受信されたデータに寄与しなかった移動体装置５０は報償を受けない。さらに別の実施形態において、会計サーバ４４は受信メッセージの各々のメッセージIDフィールド８６を解析し、複製された複数のメッセージが成功裏に中継されたかどうかを判定することができる。そして、会計サーバ４４は、受信された複製メッセージのうち、最初のものを中継した装置のみに報償を与えることができる。あるいは、会計サーバは、その後受信された複製メッセージを転送した装置の各々またはそのサブセットに報償を与えてもよい。会計サーバ４４はネットワークに接続された装置３０又はネットワークアクセスポイント４２に含まれるか付随してもよいし、図１に示す通信リモートネットワーク４０に接続された別個のエンティティであってもよい。
【００２３】
必要に応じて、移動体通信装置５０のユーザは、ネットワークに接続された装置３０から、例えばネットワークから隔離された装置２０に関連付けられた固有識別子を用い、ネットワークから隔離された装置２０へのデータを転送することに対する報償を受けてもよい。例えば、１つ又はそれより多い移動体装置５０を介して、ネットワークから隔離された装置２０へ、ソフトウェアアップグレード又は他の情報が転送されてもよい。データを転送した移動体装置５０は、提供される報償に従って報償を受けることができる。一実施形態において、ネットワークから隔離された装置２０は、どの移動体装置が成功裏にデータを中継したかを、ネットワークに接続された装置３０または会計サーバ４４に特定してもよい。それに従って、それら装置のユーザは報償を受けることができる。
【００２４】
本発明を特定の実施形態に関して説明してきたが、本発明は上述の内容によっても添付図面によっても限定されないことを理解すべきである。本発明は、以下の請求項およびその法的な等価物によってのみ限定される。
【図面の簡単な説明】
【００２５】
【図１】ネットワークから隔離された通信装置と通信ネットワークに接続されている装置との間で形成される移動体データリレーの実施形態のブロック図である。
【図２】ネットワークから隔離された通信装置の実施形態のブロック図である。
【図３】移動体通信装置の実施形態のブロック図である。
【図４】ネットワークから隔離された装置から、移動体通信装置へ転送されるデータパケットの実施形態のブロック図である。
【図５】ネットワークから隔離された装置から、移動体通信装置へデータを転送するための処理ロジックの実施形態の論理フロー図である。
【図６】図３の移動体通信装置からデータを転送するための処理ロジックの実施形態の論理フロー図である。
【図７】自身の装置を移動体データリレーを形成可能とする移動体通信装置のユーザに対して報奨金を与えるための方法の実施形態の論理フロー図である。
【図１】
2009538572.tif 000003
【図２】
2009538572.tif 000004
【図３】
2009538572.tif 000005
【図４】
2009538572.tif 000006
【図５】
2009538572.tif 000007
【図６】
2009538572.tif 000008
【図７】
2009538572.tif 000009
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
ネットワークから隔離された装置(20)から発せられたデータを、移動体通信装置(50)において中継するための方法であって、
前記ネットワークから隔離された装置(20)と一時的な無線通信コネクションを確立するステップと、
前記一時的な無線通信コネクションを介して前記ネットワークから隔離された装置(20)から受信したデータを格納するステップと、
前記一時的な無線通信コネクションを切断するステップと、
通信装置(50, 42)と次の通信コネクションを確立するステップと、
前記次の通信コネクションを介して前記データを前記通信装置(50, 42)へ転送するステップと、
データ転送消滅パラメータ(94)に応じて前記格納したデータを削除するステップとを有することを特徴とする方法。
【請求項２】
前記データ転送消滅パラメータ(94)が、前記次の通信コネクションを確立する前の経過時間に対応することを特徴とする請求項１記載の方法。
【請求項３】
前記データ転送消滅パラメータ(94)が、既に前記データを転送した移動体通信装置(50)の数に対応することを特徴とする請求項１記載の方法。
【請求項４】
前記データ転送消滅パラメータ(94)が、受信データ転送取消メッセージに対応することを特徴とする請求項１記載の方法。
【請求項５】
前記データ転送消滅パラメータ(94)が、前記データの分散を示す減衰統計量に対応することを特徴とする請求項１記載の方法。
【請求項６】
前記データ転送消滅パラメータ(94)が、タイムスタンプに対応することを特徴とする請求項１記載の方法。
【請求項７】
前記移動体通信装置(50)に一意に関連付けられた識別子(96)を前記通信装置(50, 42)へ転送するステップをさらに有することを特徴とする請求項１記載の方法。
【請求項８】
前記通信装置(50, 42)と次の通信コネクションを確立するステップが、データ転送分配パラメータに対応する複数の移動体通信装置(50)と次の通信コネクションを確立するステップを有することを特徴とする請求項１記載の方法。
【請求項９】
前記通信装置(50, 42)が、他の移動体通信装置(50)及びネットワークアクセスポイント(42)の１つを有することを特徴とする請求項１記載の方法。
【請求項１０】
移動体通信装置(50)であって、
ネットワークから隔離された装置(20)と一時的な無線通信コネクションを確立し、前記一時的な無線通信コネクションを介して転送されたデータを受信し、前記一時的な無線通信コネクションを切断し、通信装置(50, 42)と次の通信コネクションを確立し、前記次の通信コネクションを介して前記データを前記通信装置(50, 42)へ転送するように構成された無線通信回路(74)と、
データ転送消滅パラメータ(94)に応じた前記データの削除を命令するように構成された制御回路(72)とを有することを特徴とする移動体通信装置(50)。
【請求項１１】
前記データ転送消滅パラメータ(94)が、前記次の通信コネクションを確立する前の経過時間に対応することを特徴とする請求項１０記載の移動体通信装置(50)。
【請求項１２】
前記データ転送消滅パラメータ(94)が、既に前記データを転送した移動体通信装置(50)の数に対応することを特徴とする請求項１０記載の移動体通信装置(50)。
【請求項１３】
前記データ転送消滅パラメータ(94)が、受信データ転送取消メッセージに対応することを特徴とする請求項１０記載の移動体通信装置(50)。
【請求項１４】
前記データ転送消滅パラメータ(94)が、前記データの分散を示す減衰統計量に対応することを特徴とする請求項１０記載の移動体通信装置(50)。
【請求項１５】
前記データ転送消滅パラメータ(94)が、タイムスタンプに対応することを特徴とする請求項１０記載の移動体通信装置(50)。
【請求項１６】
前記無線通信回路(74)がさらに、前記移動体通信装置(50)に一意に関連付けられた識別子(96)を前記通信装置(50, 42)へ転送するように構成されることを特徴とする請求項１１記載の移動体通信装置(50)。
【請求項１７】
前記無線通信回路(74)が、データ転送分配パラメータ(92)に対応する複数の移動体通信装置(50)と次の通信コネクションを確立することによって通信装置(50, 42)と次の通信コネクションを確立するように構成されることを特徴とする請求項１１記載の移動体通信装置(50)。
【請求項１８】
前記通信装置(50, 42)が、他の移動体通信装置(50)及びネットワークアクセスポイント(42)の１つを有することを特徴とする請求項１１記載の移動体通信装置(50)。
【請求項１９】
ネットワークから隔離された装置(20)によってデータを転送する方法であって、
遠隔装置(30)に報告するためのデータを生成するステップと、
データ転送分配パラメータ(92)に対応する複数の移動体通信装置(50)と一時的な無線通信コネクションを確立するステップと、
前記データ(84)と、前記ネットワークから隔離された装置(20)に関連付けられた固有識別子(90)と、データ転送消滅パラメータ(94)とを含んだ１つ又はそれより多いパケット(80)を形成するステップと、
前記一時的な無線通信コネクションを介して前記１つ又はそれより多いパケット(80)を前記複数の移動体通信装置(50)に転送するステップとを有することを特徴とする方法。
【請求項２０】
前記ネットワークから隔離された装置(20)が前記データを転送した移動体通信装置(50)の各々から受信した固有装置識別子(96)を格納するステップをさらに有することを特徴とする請求項１９記載の方法。
【請求項２１】
前記固有装置識別子(96)の１つ以上を用いて、前記複数の移動体通信装置(50)の１つ又はそれより多くへ打ち切りメッセージを宛てるステップをさらに有することを特徴とする請求項２０記載の方法。
【請求項２２】
前記複数の移動体通信装置(50)の１つ又はそれより多くから、異なるデータを受信するステップをさらに有することを特徴とする請求項１９記載の方法。
【請求項２３】
前記データ転送分配パラメータ(92)が、データ転送の頻度及び複数の移動体通信装置(50)の数の少なくとも１つに対応することを特徴とする請求項１９記載の方法。
【請求項２４】
前記一時的な無線通信コネクションを介して前記１つ又はそれより多いパケット(80)を前記複数の移動体通信装置(50)に転送するステップが、前記一時的な無線通信コネクションを周期的に確立するステップ及び周期的に前記データを転送するステップとを有することを特徴とする請求項１９記載の方法。
【請求項２５】
ネットワークから隔離された装置(20)であって、データ転送分配パラメータ(92)に対応する複数の移動体通信装置(50)と一時的な無線通信コネクションを確立し、前記一時的な無線通信コネクションを介して前記ネットワークから隔離された装置(20)によって生成された１つ又はそれより多いパケット(80)を前記複数の移動体通信装置(50)に転送するように構成された通信コントローラ(64)を有し、前記１つ又はそれより多いパケット(80)が、データ(84)と、前記ネットワークから隔離された装置(20)に関連付けられた固有識別子(90)と、データ転送消滅パラメータ(94)とを含むことを特徴とする、ネットワークから隔離された装置(20)。
【請求項２６】
前記通信コントローラ(64)がさらに、前記ネットワークから隔離された装置(20)が前記データを転送した移動体通信装置(50)の各々から受信した固有装置識別子(96)の格納を命令するように構成されることを特徴とする請求項２５記載のネットワークから隔離された装置(20)。
【請求項２７】
前記通信コントローラ(64)がさらに、前記固有装置識別子(96)の１つ以上を用いて、前記複数の移動体通信装置(50)の１つ又はそれより多くへ打ち切りメッセージを宛てるように構成されることを特徴とする請求項２６記載のネットワークから隔離された装置(20)。
【請求項２８】
前記通信コントローラ(64)がさらに、前記複数の移動体通信装置(50)の１つ又はそれより多くから、異なるデータを受信するように構成されることを特徴とする請求項２５記載のネットワークから隔離された装置(20)。
【請求項２９】
前記データ転送分配パラメータ(92)が、データ転送の頻度及び複数の移動体通信装置(50)の数の少なくとも１つに対応することを特徴とする請求項２５記載のネットワークから隔離された装置(20)。
【請求項３０】
前記通信コントローラ(64)が、前記一時的な無線通信コネクションを周期的に確立するとともに、前記データを周期的に転送するように構成されることを特徴とする請求項２５記載のネットワークから隔離された装置(20)。
【請求項３１】
ネットワークから隔離された装置(20)から発せられたデータを自身の移動体通信装置(50)によって転送することを可能するよう、前記複数の移動体通信装置(50)の複数のユーザに報償を与える方法であって、
ネットワークから隔離された装置(20)から発せられたデータを前記複数の移動体通信装置(50)によって転送することを可能にするよう、前記複数の移動体通信装置(50)の前記複数のユーザに、報償を提供するステップと、
前記データを転送する前記複数の移動体通信装置(50)を特定するステップと、
前記データを転送したものとして特定された前記複数の移動体通信装置(50)の１つ又はそれより多くに報償を与えるステップとを有することを特徴とする方法。
【請求項３２】
前記データを転送した前記複数の移動体通信装置(50)の１つ又はそれより多くに報償を与えるステップが、宛先装置(30)によって受信されたデータを転送した移動体通信装置(50)の各々に報償を与えるステップを有することを特徴とする請求項３１記載の方法。
【請求項３３】
前記データを転送する前記複数の移動体通信装置(50)を特定するステップが、個々の移動体通信装置(50)の各々に一意に関連付けられた装置識別子(96)の１つ又はそれより多くを、前記宛先装置(30)によって受信されたデータから見出すステップを有することを特徴とする請求項３１記載の方法。
【請求項３４】
前記データを転送する前記複数の移動体通信装置(50)を特定するステップが、前記ネットワークから隔離された装置(20)から発せられるメッセージ(20)の各々に一意に関連付けられたメッセージ識別子(86)の１つ又はそれより多くを、前記宛先装置(30)によって受信されたデータから見出すステップを有することを特徴とする請求項３３記載の方法。
【請求項３５】
前記複数の移動体通信装置(50)によって、異なるデータをネットワークから隔離された装置(20)へ転送することを可能にするよう、前記複数の移動体通信装置(50)の前記複数のユーザに報償を与えるステップをさらに有することを特徴とする請求項３１記載の方法。
【請求項３６】
前記異なるデータを転送する前記複数の移動体通信装置(50)の１つ又はそれより多くに対し、報償を与えるステップをさらに有することを特徴とする請求項３５記載の方法。
【請求項３７】
前記異なるデータを転送する前記複数の移動体通信装置(50)の１つ又はそれより多くに報償を与えるステップが、
前記データを転送した前記複数の移動体通信装置(50)を特定するステップと、
前記特定された複数の移動体通信装置(50)の１つ又はそれより多くに報償を与えるステップとを有することを特徴とする請求項３６記載の方法。
【請求項３８】
前記データを転送した前記複数の移動体通信装置(50)を特定するステップが、個々の移動体通信装置(50)の各々に一意に関連付けられた装置識別子(96)の１つ又はそれより多くを、前記ネットワークから隔離された装置(20)によって受信されたデータから見出すステップを有することを特徴とする請求項３７記載の方法。
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
ネットワークから隔離された装置(20)から発せられたデータを、移動体通信装置(50)において中継するための方法であって、
前記ネットワークから隔離された装置(20)と一時的な無線通信コネクションを確立するステップと、
前記一時的な無線通信コネクションを介して前記ネットワークから隔離された装置(20)から受信したデータを格納するステップと、
前記一時的な無線通信コネクションを切断するステップと、
遠隔通信装置(50, 42)と次の通信コネクションを確立するステップと、
前記次の通信コネクションを介して前記データを前記遠隔通信装置(50, 42)へ転送するステップと、
データ転送消滅パラメータ(94)に応じて前記格納したデータを削除するステップとを有することを特徴とする方法。
【請求項２】
前記データ転送消滅パラメータ(94)が、
前記次の通信コネクションを確立する前の経過時間、
既に前記データを転送した移動体通信装置(50)の数、
受信データ転送取消メッセージ、
前記データの分散を示す減衰統計量、
タイムスタンプ、
の１つを有することを特徴とする請求項１記載の方法。
【請求項３】
前記遠隔通信装置(50, 42)と次の通信コネクションを確立するステップが、データ転送分配パラメータに対応する複数の移動体通信装置(50)と次の通信コネクションを確立するステップを有することを特徴とする請求項１記載の方法。
【請求項４】
移動体通信装置(50)であって、
ネットワークから隔離された装置(20)と一時的な無線通信コネクションを確立し、前記一時的な無線通信コネクションを介して転送されたデータを受信し、前記一時的な無線通信コネクションを切断し、遠隔通信装置(50, 42)と次の通信コネクションを確立し、前記次の通信コネクションを介して前記データを前記遠隔通信装置(50, 42)へ転送するように構成された無線通信回路(74)と、
データ転送消滅パラメータ(94)に応じた前記データの削除を命令するように構成された制御回路(72)とを有することを特徴とする移動体通信装置(50)。
【請求項５】
前記データ転送消滅パラメータ(94)が、
前記次の通信コネクションを確立する前の経過時間、
既に前記データを転送した移動体通信装置(50)の数、
受信データ転送取消メッセージ、
前記データの分散を示す減衰統計量、
タイムスタンプ、
の１つを有することを特徴とする請求項４記載の移動体通信装置(50)。
【請求項６】
前記無線通信回路(74)が、データ転送分配パラメータ(92)に対応する複数の移動体通信装置(50)と次の通信コネクションを確立することによって遠隔通信装置(50, 42)と次の通信コネクションを確立するように構成されることを特徴とする請求項５記載の移動体通信装置(50)。
【請求項７】
ネットワークから隔離された装置(20)によってデータを転送する方法であって、
遠隔装置(30)に報告するためのデータを生成するステップと、
データ転送分配パラメータ(92)に対応する複数の移動体通信装置(50)と一時的な無線通信コネクションを確立するステップと、
前記データ(84)と、前記ネットワークから隔離された装置(20)に関連付けられた固有識別子(90)と、データ転送消滅パラメータ(94)とを含んだ１つ又はそれより多いパケット(80)を形成するステップと、
前記一時的な無線通信コネクションを介して前記１つ又はそれより多いパケット(80)を前記複数の移動体通信装置(50)に転送するステップとを有することを特徴とする方法。
【請求項８】
前記データ転送分配パラメータ(92)が、データ転送の頻度及び複数の移動体通信装置(50)の数の少なくとも１つに対応することを特徴とする請求項７記載の方法。
【請求項９】
ネットワークから隔離された装置(20)であって、データ転送分配パラメータ(92)に対応する複数の移動体通信装置(50)と一時的な無線通信コネクションを確立し、前記一時的な無線通信コネクションを介して前記ネットワークから隔離された装置(20)によって生成された１つ又はそれより多いパケット(80)を前記複数の移動体通信装置(50)に転送するように構成された通信コントローラ(64)を有し、前記１つ又はそれより多いパケット(80)が、データ(84)と、前記ネットワークから隔離された装置(20)に関連付けられた固有識別子(90)と、データ転送消滅パラメータ(94)とを含むことを特徴とする、ネットワークから隔離された装置(20)。
【請求項１０】
前記データ転送分配パラメータ(92)が、データ転送の頻度及び複数の移動体通信装置(50)の数の少なくとも１つに対応することを特徴とする請求項９記載のネットワークから隔離された装置(20)。
【手続補正２】
【補正対象書類名】明細書
【補正対象項目名】０００６
【補正方法】変更
【補正の内容】
【０００６】
一部の実施形態において、ネットワークから隔離された通信装置は、１つ又はそれより多い移動体通信装置が自身の通信可能範囲に入ると、移動体通信装置へメッセージを送信する。そのメッセージを受信する移動体通信装置は、メッセージを他の移動体通信装置へ中継することができる。メッセージを受信する複数の移動体通信装置の１つは、ネットワークアクセスポイントの通信可能範囲に入ると、ネットワークアクセスポイントと通信を確立し、メッセージをネットワークアクセスポイントへ転送する。このようにして、ネットワークアクセスポイントに到達するまで、メッセージはある移動体通信装置から別の移動体通信装置へと中継されることができる。
【手続補正３】
【補正対象書類名】明細書
【補正対象項目名】０００８
【補正方法】変更
【補正の内容】
【０００８】
自分の装置をデータ転送に用いることをユーザが許可することを促すため、移動体通信装置のユーザに報償を与えてもよい。例えば、自身の移動体通信装置をデータ転送に使用することを許可したユーザに報奨金を与える会計サーバを用いることができる。一実施形態において、移動体通信装置のユーザは、自身の装置を移動データ中継可能とするための報償の提供を受ける。データ転送を受ける装置は特定される。データを転送したと特定される１つ又はそれより多い装置、例えば、成功したデータ中継経路の一部を形成した装置には、報奨金が与えられる。
本発明の例示的な実施形態は、ネットワークから隔離された装置から発せられたデータを中継するために移動体通信装置において実施される方法を含む。例示的な方法の１つは、前記ネットワークから隔離された装置と一時的な無線通信コネクションを確立するステップと、前記一時的な無線通信コネクションを介して前記ネットワークから隔離された装置から受信したデータを格納するステップと、前記一時的な無線通信コネクションを切断するステップと、遠隔通信装置と次の通信コネクションを確立するステップと、前記次の通信コネクションを介して前記データを前記遠隔通信装置へ転送するステップとを有する。
方法の一部の実施形態は、データ転送消滅パラメータに応じて前記格納したデータを削除するステップをさらに有する。
方法の一部の実施形態においては、前記データ転送消滅パラメータが、前記次の通信コネクションを確立する前の経過時間に対応する。
方法の一部の実施形態においては、前記データ転送消滅パラメータが、前記次の通信コネクションを確立する前の経過時間に対応する。
方法の一部の実施形態においては、前記データ転送消滅パラメータが、既に前記データを転送した移動体通信装置の数に対応する。
方法の一部の実施形態においては、前記データ転送消滅パラメータが、受信データ転送取消メッセージに対応する。
方法の一部の実施形態においては、前記データ転送消滅パラメータが、前記データの分散を示す減衰統計量に対応する。
方法の一部の実施形態においては、前記データ転送消滅パラメータが、タイムスタンプに対応する。
方法の一部の実施形態は、前記移動体通信装置に一意に関連付けられた識別子を前記遠隔通信装置へ転送するステップをさらに有する。
方法の一部の実施形態においては、前記遠隔通信装置と次の通信コネクションを確立するステップが、データ転送分配パラメータに対応する複数の移動体通信装置と次の通信コネクションを確立するステップを有する。
方法の一部の実施形態においては、前記遠隔通信装置が、他の移動体通信装置及びネットワークアクセスポイントの１つを有する。
本発明の複数の実施形態はさらに、ネットワークから隔離された装置からのデータを中継するための移動体通信装置を含む。この移動体通信装置の一実施形態は、ネットワークから隔離された装置と一時的な無線通信コネクションを確立し、前記一時的な無線通信コネクションを介して転送されたデータを受信し、前記一時的な無線通信コネクションを切断し、遠隔通信装置と次の通信コネクションを確立し、前記次の通信コネクションを介して前記データを前記遠隔通信装置へ転送するように構成された無線通信回路を有する。
一部の実施形態においては、移動体通信装置は、データ転送消滅パラメータに応じた前記データの削除を命令するように構成された制御回路をさらに有する。
移動体通信装置の一部の実施形態においては、前記データ転送消滅パラメータが、前記次の通信コネクションを確立する前の経過時間に対応する。
移動体通信装置の一部の実施形態においては、前記データ転送消滅パラメータが、既に前記データを転送した移動体通信装置の数に対応する。
移動体通信装置の一部の実施形態においては、前記データ転送消滅パラメータが、受信データ転送取消メッセージに対応する。
移動体通信装置の一部の実施形態においては、前記データ転送消滅パラメータが、前記データの分散を示す減衰統計量に対応する。
移動体通信装置の一部の実施形態においては、前記データ転送消滅パラメータが、タイムスタンプに対応する。
移動体通信装置の一部の実施形態においては、前記無線通信回路がさらに、前記移動体通信装置に一意に関連付けられた識別子を前記遠隔通信装置へ転送するように構成される。
移動体通信装置の一部の実施形態においては、前記無線通信回路が、データ転送分配パラメータに対応する複数の移動体通信装置と次の通信コネクションを確立することによって遠隔通信装置と次の通信コネクションを確立するように構成される。
移動体通信装置の一部の実施形態においては、前記遠隔通信装置が、他の移動体通信装置及びネットワークアクセスポイントの１つを有する。
本発明の別の実施形態は、ネットワークから隔離された装置によって実施される、データを転送する方法を含む。１つの例示的な実施形態において、この方法は、遠隔装置に報告するためのデータを生成するステップと、データ転送分配パラメータに対応する複数の移動体通信装置と一時的な無線通信コネクションを確立するステップと、前記一時的な無線通信コネクションを介して前記データを前記複数の移動体通信装置に転送するステップとを有する。
方法の一部の実施形態においては、前記一時的な無線通信コネクションを介して前記データを前記複数の移動体通信装置に転送するステップが、前記データ及び、前記ネットワークから隔離された装置に関連付けられた固有識別子を含んだ１つ又はそれより多いパケットを形成するステップと、前記一時的な無線通信コネクションを介して各パケットを転送するステップとを有する。
方法の一部の実施形態においては、前記１つ又はそれより多いパケットが、データ転送消滅パラメータをさらに含む。
方法の一部の実施形態においては、前記ネットワークから隔離された装置が前記データを転送した移動体通信装置の各々から受信した固有装置識別子を格納するステップをさらに有する。
一部の実施形態において、方法は、前記固有装置識別子の１つ以上を用いて、前記複数の移動体通信装置の１つ又はそれより多くへ打ち切りメッセージを宛てるステップをさらに有する。
一部の実施形態において、方法は、前記複数の移動体通信装置の１つ又はそれより多くから、異なるデータを受信するステップをさらに有する。
方法の一部の実施形態においては、前記データ転送分配パラメータが、データ転送の頻度及び複数の移動体通信装置の数の少なくとも１つに対応する。
方法の一部の実施形態においては、データ転送分配パラメータに対応する複数の移動体通信装置と一時的な無線通信コネクションを確立するステップ及び前記一時的な無線通信コネクションを介して前記データを前記複数の移動体通信装置に転送するステップが、前記一時的な無線通信コネクションを周期的に確立するステップ及び周期的に前記データを転送するステップとを有する。
本発明の別の複数の実施形態は、ネットワークから隔離された装置を含む。１つの例示的な実施形態において、ネットワークから隔離された装置は、データ転送分配パラメータに対応する複数の移動体通信装置と一時的な無線通信コネクションを確立し、前記一時的な無線通信コネクションを介して前記ネットワークから隔離された装置によって生成されたデータを前記複数の移動体通信装置に転送するように構成された通信コントローラを有する。
ネットワークから隔離された装置の一部の実施形態においては、前記通信コントローラが、前記データ及び、前記ネットワークから隔離された装置に関連付けられた固有識別子を含んだ１つ又はそれより多いパケットを形成し、前記一時的な無線通信コネクションを介して各パケットを転送することにより、前記一時的な無線通信コネクションを介して前記ネットワークから隔離された装置によって生成されたデータを前記複数の移動体通信装置に転送するように構成される。
ネットワークから隔離された装置の一部の実施形態においては、前記１つ又はそれより多いパケットが、データ転送消滅パラメータをさらに含む。
ネットワークから隔離された装置の一部の実施形態においては、前記通信コントローラがさらに、前記ネットワークから隔離された装置が前記データを転送した移動体通信装置の各々から受信した固有装置識別子の格納を命令するように構成される。
ネットワークから隔離された装置の一部の実施形態においては、前記通信コントローラがさらに、前記固有装置識別子の１つ以上を用いて、前記複数の移動体通信装置の１つ又はそれより多くへ打ち切りメッセージを宛てるように構成される。
ネットワークから隔離された装置の一部の実施形態においては、前記通信コントローラがさらに、前記複数の移動体通信装置の１つ又はそれより多くから、異なるデータを受信するように構成される。
ネットワークから隔離された装置の一部の実施形態においては、前記データ転送分配パラメータが、データ転送の頻度及び複数の移動体通信装置の数の少なくとも１つに対応する。
ネットワークから隔離された装置の一部の実施形態においては、前記通信コントローラが、前記一時的な無線通信コネクションを周期的に確立するとともに、前記データを周期的に転送するように構成される。
本発明の他の複数の実施形態は、ネットワークから隔離された装置から発せられたデータを自身の移動体通信装置によって転送することを可能するよう、前記複数の移動体通信装置の複数のユーザに報償を与える方法を含む。１つの例示的な実施形態において、方法は、ネットワークから隔離された装置から発せられたデータを前記複数の移動体通信装置によって転送することを可能にするよう、前記複数の移動体通信装置の前記複数のユーザに、報償を提供するステップと、前記データを転送する前記複数の移動体通信装置を特定するステップと、前記データを転送したものとして特定された前記複数の移動体通信装置の１つ又はそれより多くに報償を与えるステップとを有する。
方法の一部の実施形態においては、前記データを転送した前記複数の移動体通信装置の１つ又はそれより多くに報償を与えるステップが、宛先装置によって受信されたデータを転送した移動体通信装置の各々に報償を与えるステップを有する。
方法の一部の実施形態においては、前記データを転送する前記複数の移動体通信装置を特定するステップが、個々の移動体通信装置の各々に一意に関連付けられた装置識別子の１つ又はそれより多くを、前記宛先装置によって受信されたデータから見出すステップを有する。
方法の一部の実施形態においては、前記データを転送する前記複数の移動体通信装置を特定するステップが、前記ネットワークから隔離された装置から発せられるメッセージの各々に一意に関連付けられたメッセージ識別子の１つ又はそれより多くを、前記宛先装置によって受信されたデータから見出すステップを有する。
方法の一部の実施形態は、前記複数の移動体通信装置によって、異なるデータをネットワークから隔離された装置へ転送することを可能にするよう、前記複数の移動体通信装置の前記複数のユーザに報償を与えるステップをさらに有する。
方法の一部の実施形態は、前記異なるデータを転送する前記複数の移動体通信装置の１つ又はそれより多くに対し、報償を与えるステップをさらに有する。
方法の一部の実施形態においては、前記異なるデータを転送する前記複数の移動体通信装置の１つ又はそれより多くに報償を与えるステップが、前記データを転送した前記複数の移動体通信装置を特定するステップと、前記特定された複数の移動体通信装置の１つ又はそれより多くに報償を与えるステップとを有する。
方法の一部の実施形態においては、前記データを転送した前記複数の移動体通信装置を特定するステップが、個々の移動体通信装置の各々に一意に関連付けられた装置識別子の１つ又はそれより多くを、前記ネットワークから隔離された装置によって受信されたデータから見出すステップを有する。
【国際調査報告】
2009538572.tif 000010
2009538572.tif 000011
2009538572.tif 000012